(57)【要約】【課題】  測定要員をストレーナの設置場所に特に派遣することなく、ストレーナのメンテナンス作業をタイミング良く実施できるようにする。【解決手段】  ストレーナ１前後の流体差圧Ｐ１を自動測定可能な差圧測定手段４と、設定差圧Ｑを記憶する記憶手段５と、差圧測定手段からの差圧情報Ｐを受信端末６に送信可能な送信手段７ａと、前後の流体差圧が設定差圧を越えると、差圧情報を受信端末に送信するように送信手段を制御する制御手段８とを設けてある。【選択図】        図１
2006185102.tif 000002
【特許請求の範囲】
【請求項１】
ストレーナ前後の流体差圧を自動測定可能な差圧測定手段と、
設定差圧を記憶する記憶手段と、
前記差圧測定手段からの差圧情報を受信端末に送信可能な送信手段と、
前記前後の流体差圧が前記設定差圧を越えると、前記差圧情報を受信端末に送信するように前記送信手段を制御する制御手段とを設けてあるストレーナ監視装置。
【請求項２】
前記設定差圧の変更情報を受信可能な受信手段を設け、
前記受信手段で前記変更情報を受信すると、その変更情報に基づいて前記記憶手段の設定差圧を変更操作する変更操作手段を設けてある請求項１記載のストレーナ監視装置。
【請求項３】
請求項１又は２記載のストレーナ監視装置を、流体配管経路に設置し、
設置時からの前記受信端末での差圧情報受信時までの時間と、差圧変化値とで、前記ストレーナのメンテナンス必要時期を予測するストレーナの管理方法。
【発明の詳細な説明】
【技術分野】
【０００１】
本発明は、ストレーナ監視装置とストレーナの管理方法に関する。
【背景技術】
【０００２】
工場などに設けてある都市ガスなどの流体配管経路には、流体と共に移動してきた管内の錆や土砂などのダストを除去できるようにストレーナを装備してある。
このストレーナが目詰まりを起こすと、流体を所望の圧力や流量で流せなくなって、工場の適正な稼働状態を維持できないおそれがある。
そのため、ストレーナが目詰まりを起こすとストレーナを通過する前後の流体差圧が大きくなることに注目し、その流体差圧を測定することで、ストレーナの目詰まり状態を監視している。
従来のストレーナの監視技術では、流体差圧の測定時期を勘や経験に頼って設定して、その設定した時期に測定要員をストレーナの設置場所に派遣して流体差圧を測定し、測定した流体差圧を予め規定してある規定流体差圧などと比較して、必要に応じてストレーナに溜まっているダストを取り除くなどのメンテナンス作業を実施している（慣用技術であり、先行技術文献情報を開示できない）。
【発明の開示】
【発明が解決しようとする課題】
【０００３】
しかしながら、新規に設置した流体配管経路に設けてあるストレーナのような場合は、実際の流体通過流量についての情報も少ないので、測定時期を勘や経験に頼るだけでは、測定前の予期しない時期に目詰まりを起こしてしまって、ストレーナのメンテナンス作業をタイミング良く実施できない可能性がある。
また、流体配管経路の上流側で配管工事などが実施されると、その工事に伴って生じた予測しない量のダストがストレーナに流入することがあり、この場合も、測定前の予期しない時期に目詰まりを起こしてしまって、ストレーナのメンテナンス作業をタイミング良く実施できない可能性がある。
このような予期しない時期の目詰まりを回避して、ストレーナのメンテナンス作業をタイミング良く実施できるように、測定頻度を増やして頻繁に測定することも考えられるが、差圧測定のための経費が増大する欠点がある。
本発明は上記実情に鑑みてなされたものであって、測定要員をストレーナの設置場所に特に派遣することなく、ストレーナのメンテナンス作業をタイミング良く実施できるようにすることを目的とする。
【課題を解決するための手段】
【０００４】
本発明の第１特徴構成によるストレーナ監視装置は、ストレーナ前後の流体差圧を自動測定可能な差圧測定手段と、設定差圧を記憶する記憶手段と、前記差圧測定手段からの差圧情報を受信端末に送信可能な送信手段と、前記前後の流体差圧が前記設定差圧を越えると、前記差圧情報を受信端末に送信するように前記送信手段を制御する制御手段とを設けてある点にある。
【０００５】
〔作用及び効果〕
ストレーナ前後の流体差圧を差圧測定手段で自動測定して、測定した流体差圧が記憶手段に記憶してある設定差圧を越えると、差圧測定手段からの差圧情報を受信端末に送信するので、測定要員をストレーナの設置現場に特に派遣することなく、受信端末で受信した差圧情報に基づいてストレーナの目詰まり状態を判断して、ストレーナのメンテナンス作業をタイミング良く実施できる。
【０００６】
本発明の第２特徴構成によるストレーナ監視装置は、前記設定差圧の変更情報を受信可能な受信手段を設け、前記受信手段で前記変更情報を受信すると、その変更情報に基づいて前記記憶手段の設定差圧を変更操作する変更操作手段を設けてある点にある。
【０００７】
〔作用及び効果〕
設定差圧の変更情報を受信手段で受信すると、その変更情報に基づいて記憶手段の設定差圧を変更操作するので、変更した設定差圧に応じた差圧情報が受信端末に送信される。
従って、測定要員をストレーナの設置現場に特に派遣することなく、実際の流体通過流量に応じた設定差圧に変更でき、例えば、流体通過流量が多いときは差圧が短時間で大きくなり易いので設定差圧を小さめに設定し、流体通過流量が少ないときは差圧が短時間で大きくなるおそれが少ないので設定差圧を大きめに設定して、ストレーナの目詰まり状態を、実際の流体通過流量に応じたタイミング、つまり、メンテナンス作業を実際に実施できるまでの時間的余裕を持ったタイミングで判断できる。
【０００８】
本発明の第３特徴構成によるストレーナの管理方法は、請求項１又は２記載のストレーナ監視装置を、流体配管経路に設置し、設置時からの前記受信端末での差圧情報受信時までの時間と、差圧変化値とで、前記ストレーナのメンテナンス必要時期を予測する点にある。
【０００９】
〔作用及び効果〕
ストレーナ監視装置の流体配管経路への設置時からの受信端末での差圧情報受信時までの時間と、差圧変化値とで、ストレーナのメンテナンス必要時期を単位時間当たりの差圧変化率に基づいて精度良く予測しながら管理できるので、メンテナンス作業をタイミング良く実施できる。
【発明を実施するための最良の形態】
【００１０】
以下に本発明の実施の形態を図面に基づいて説明する。
図１は、工場などに設けてある都市ガス供給用配管経路Ａの一部を示し、ガバナなどで調圧した都市ガスを、ストレーナ１やガスメータ２などを経由してガス消費機器３に供給できるように設けてあり、ストレーナ１の目詰まり状態を監視するために、本発明によるストレーナ監視装置Ｂを設置してある。
【００１１】
前記ストレーナ監視装置Ｂは、ストレーナ１を通過する前後のガス圧力の差圧（流体差圧）Ｐ１を自動測定可能な差圧測定部（差圧測定手段）４と、設定差圧Ｑをメモリに記憶する記憶部（記憶手段）５と、携帯電話網を介して携帯端末６との間で送受信可能な送受信部７と、送受信部７の作動を制御する制御部（制御手段）８と、各部４〜８を作動させるための蓄電池などを備えた電源部（図示せず）とを設けて、差圧Ｐ１を遠隔監視できるように構成してある。
【００１２】
前記送受信部７には、差圧測定部４から入力された差圧情報Ｐを受信端末としての携帯端末６に送信可能な送信部（送信手段）７ａと、送信端末としての携帯端末６から送信された設定差圧Ｑの変更情報Ｒを受信可能な受信部（受信手段）７ｂとを設けてある。
【００１３】
前記記憶部５は、要監視レベルの第１設定差圧Ｑ１と、第１設定差圧Ｑ１よりも大きい注意喚起レベルの第２設定差圧Ｑ２と、第２設定差圧Ｑ２よりも大きい緊急対処レベルの第３設定差圧Ｑ３とを書き換え自在に記憶している。
【００１４】
前記差圧測定部４は、ストレーナ１の上流側のガス圧力を検出して電気信号として出力する上流側圧力センサ９ａと、ストレーナ１の下流側のガス圧力を検出して電気信号として出力する下流側圧力センサ９ｂと、各圧力センサ９ａ，９ｂから入力される圧力データを所定時間毎にサンプリングして、上流側ガス圧力と下流側ガス圧力との差圧Ｐ１を演算するデータ処理部１０とを設けて、演算差圧Ｐ１とその測定日時データＰ２とを差圧情報Ｐとして制御部８に入力するように構成してある。
【００１５】
前記制御部８は、データ処理部１０から入力された差圧情報Ｐのうちの演算差圧Ｐ１を、第１〜第３設定差圧Ｑ１，Ｑ２，Ｑ３と比較して、演算差圧Ｐ１が第１設定差圧Ｑ１を越え、かつ、第２設定差圧Ｑ２以下のときは、要監視レベルであることを示すアラームデータＰ３を付加した差圧情報Ｐを携帯端末６に送信するように送信部７ａを制御し、演算差圧Ｐ１が第２設定差圧Ｑ２を越え、かつ、第３設定差圧Ｑ３以下のときは、注意喚起レベルであることを示すアラームデータＰ３を付加した差圧情報Ｐを携帯端末６に送信するように送信部７を制御し、演算差圧Ｐ１が第３設定差圧Ｑ３を越えているときは、緊急対処レベルであることを示すアラームデータＰ３を付加した差圧情報Ｐを携帯端末６に送信するように送信部７ａを制御する。
【００１６】
従って、携帯端末６を所持している担当者は、演算差圧Ｐ１が第１〜第３設定差圧Ｑ１，Ｑ２，Ｑ３を越える毎に、対応するアラームデータＰ３を付加した差圧情報Ｐを入手することができ、ストレーナ監視装置Ｂの配管経路Ａへの設置時から差圧情報Ｐの受信時までの時間や差圧情報Ｐを受信した時間間隔と、その間の差圧変化値とに基づいて、単位時間当たりの差圧変化率を求めて、ストレーナ１のメンテナンス必要時期を予測しながら遠隔管理できる。
【００１７】
また、制御部８は、携帯端末６から送信された設定差圧Ｑ（Ｑ１，Ｑ２，Ｑ３）の変更情報Ｒを受信部７ｂで受信すると、その変更情報Ｒに基づいて記憶部５に記憶してある設定差圧Ｑを書き換えるように制御し、設定差圧Ｑの変更情報Ｒに基づいて記憶部５の設定差圧Ｑを変更操作する変更操作手段を構成している。
【００１８】
そして、制御部８は、第１設定差圧Ｑ１の変更情報Ｒを受信すると、メモリに記憶済みの第１設定差圧Ｑ１をその変更情報Ｒに基づいて書き換え、第２設定差圧Ｑ２の変更情報Ｒを受信すると、メモリに記憶済みの第２設定差圧Ｑ２をその変更情報Ｒに基づいて書き換え、第３設定差圧Ｑ３の変更情報Ｒを受信すると、メモリに記憶済みの第３設定差圧Ｑ３をその変更情報Ｒに基づいて書き換えるように、記憶部５の作動を制御する。
【００１９】
〔その他の実施形態〕
１．本発明によるストレーナ監視装置とストレーナの管理方法は、都市ガスなどの気体用ストレーナの監視装置やストレーナの管理方法に限定されず、水道などの液体用ストレーナの監視装置やストレーナの管理方法であっても良い。
２．本発明によるストレーナ監視装置は、送信端末からの流体差圧の測定要求を受信すると、差圧測定手段が流体差圧を自動測定するように制御する制御手段を設けてあっても良い。
３．本発明によるストレーナ監視装置は、ＰＨＳ方式や携帯電話方式以外に、ＴＤＭＡ方式やＣＤＭＡ方式の携帯送受信端末や携帯受信端末やインターネット接続端末を設けて構成してあっても良い。
４．本発明によるストレーナ監視装置は、固定回線を介して差圧情報や変更情報を送受信するように構成してあっても良い。
５．本発明によるストレーナ監視装置は、警報音形式や音声形式の差圧情報を受信端末に送信するように構成してあっても良い。
【図面の簡単な説明】
【００２０】
【図１】ストレーナ監視装置とストレーナの管理方法を示す概略図
【符号の説明】
【００２１】
１    ストレーナ
４    差圧測定手段
５    記憶手段
６    受信端末
７ａ  送信手段
７ｂ  受信手段
８    制御手段（変更操作手段）
Ａ    流体配管経路
Ｂ    ストレーナ監視装置
Ｐ    差圧情報
Ｐ１  流体差圧
Ｑ    設定差圧
Ｒ    変更情報
【図１】
2006185102.tif 000003